(57)【要約】【課題】厨芥処理機の運転開始を就寝後に行うことにより、就寝するまでの間にモーター等の騒音や厨芥ごみを撹拌する運転音などの騒音の発生を阻止し、就寝の妨げを回避する。【解決手段】本体蓋２に設けられた操作部２２の電源「入」スイッチ２３を投入してから一定時間後に運転動作が開始されるＯＮタイマー設定スイッチ２５を設け、前記電源「入」スイッチ２３を投入後、所定時間Ａ内に前記ＯＮタイマー設定スイッチ２５の投入がない場合は所定時間Ａ経過後に運転動作を開始する。【選択図】  図６
2004243230.tif 000002
【特許請求の範囲】
【請求項１】
厨芥処理機の本体ケース（１）と、該本体ケース（１）の開口部を覆う本体蓋（２）と、本体ケース（１）又は本体蓋（２）に設けられた操作部（２２）と、本体ケース（１）内に着脱自在に設置された厨芥ごみ収納容器（４）と、厨芥ごみ収納容器（４）内の厨芥ごみを加熱する加熱手段（１４）と、厨芥ごみ収納容器（４）内の厨芥ごみを撹拌する回転撹拌刃（６）と、厨芥ごみ収納容器（４）から発生する臭気を脱臭する触媒脱臭装置（１７）と、脱臭後の排気を本体ケース（１）より外部に排出す排気口（１８ａ）とを備えた厨芥処理機において、前記操作部（２２）の電源「入」スイッチ（２３）を投入してから一定時間後に運転動作が開始されるＯＮタイマー設定スイッチ（２５）を設け、前記電源「入」スイッチ（２３）を投入後、所定時間Ａ内に前記ＯＮタイマー設定スイッチ（２５）の投入がない場合は所定時間Ａ経過後に運転動作を開始することを特徴とする厨芥処理機。
【請求項２】
操作部（２２）に電源「入」スイッチ（２３）に対応する電源表示ランプ（２４）と、ＯＮタイマー設定スイッチ（２５）に対応するＯＮタイマー設定表示ランプ（２６）を設け、前記電源「入」スイッチ（２３）を投入後、所定時間Ａの間ＯＮタイマー設定表示ランプ（２６）が点滅し、ＯＮタイマー設定スイッチ（２５）の投入時から一定時間Ｂの間ＯＮタイマー設定表示ランプ（２６）が点灯し、一定時間Ｂ後にＯＮタイマー設定表示ランプ（２６）は消灯し、また、前記所定時間Ａを経過してもＯＮタイマー設定スイッチ（２５）の投入がない場合はＯＮタイマー設定表示ランプ（２６）が消灯することを特徴とする請求項１記載の厨芥処理機。
【発明の詳細な説明】
【０００１】
【発明の属する技術分野】
本発明は、一般家庭等で発生する厨芥ごみを加熱乾燥して減容処理する厨芥処理機に関するものである。
【０００２】
【従来の技術】
厨芥ごみを加熱乾燥して減容処理する従来の厨芥処理機として、例えば特開平７−８８４６３号公報に示すものがある。（特許文献１参照）
これを図１０により説明すると、４０は本体ケース、４１は厨芥収納容器で、この厨芥収納容器４１内には厨芥ごみを粉砕、撹拌する手段として固定刃４２と回転撹拌刃４３が設けられている。
【０００３】
固定刃４２は厨芥収納容器４１の下部内壁に設けられ、回転撹拌刃４３は厨芥収納容器４１の底面から突き出た回転軸４４に固定されている。この回転軸４４は撹拌モーター４５、減速装置４６を介して駆動軸４７と連結している。
【０００４】
厨芥収納容器４１の上方には厨芥ごみを加熱する加熱ヒーター４８と送風ファン４９が設けられている。
【０００５】
５０は送風ファン４９を駆動する送風モーターであり、厨芥収納容器４１および電熱ヒーター４８の上部に配置されている。そして加熱ヒーター４８と送風ファン４９によって厨芥ごみの表面上部を加熱し、この加熱された厨芥ごみを撹拌モーター４５によって駆動される回転撹拌刃４３によって破砕するようにしている。
【０００６】
また、厨芥収納容器４１の外周には外容器５１が設けられており、この外容器５１の上部開口部は蓋５２で覆われている。この蓋５２には空気を取り入れる空気取り入れ口５３が設けられている。そして、外側固定容器５１には厨芥収納容器４１内で発生した臭気を排出する排気口５４が設けられている。この排気口５４は連結パイプ５５と厨芥収納容器４１内で発生した臭気を無臭化する脱臭ヒーター５６ａと触媒５６ｂで構成された触媒脱臭器５６と、この触媒脱臭器５６によって脱臭された気体を本体外に排出する排気ファン５７に連通されている。
【０００７】
このように構成されたものにおいて、厨芥収納容器４１内に厨芥ごみが投入され運転スイッチ（図示せず）を操作して乾燥運転が開始されると、電熱ヒーター４８と送風ファン４９によって厨芥ごみの表面上部が加熱される。
【０００８】
それと同時に、厨芥ごみは固定刃４２と回転撹拌刃４３によって破砕されながら臭気を含む蒸気を発生する。そして臭気は触媒脱臭器５６によって脱臭され、排気ファン５７によって本体４０外に排出され、乾燥が行なわれる。
【０００９】
乾燥が終了すると、図示していないが、蓋５２の上面に運転・停止等の操作部として停止スイッチ（図示せず）が設けられていて、手動でこの停止スイッチを操作して運転を停止するか、又は乾燥した厨芥の温度や湿度を温度検知手段（図示せず）が検知して自動的に運転を停止させるものである。
【００１０】
そして、この運転の自動停止装置としては、例えば特許文献２として提示した特開平７−２６０３５６号公報及び特許文献３として提示した特開平７−２９４１３６号公報等があり、これらはタイマー機構を用いて厨芥ごみを加熱する加熱ヒーターの通電時間を制御して運転を停止させるものである。
【００１１】
【特許文献１】
特開平７−８８４６３号公報
【特許文献２】
特開平７−２６０３５６号公報
【特許文献３】
特開平７−２９４１３６号公報
【００１２】
【発明が解決しようとする課題】
しかしながら、上記従来の厨芥処理機においては、厨芥収納容器４１内に厨芥ごみを入れ、操作部の運転スイッチを操作して運転を開始すると、その直後から送風ファン４９の回転や回転撹拌刃４３の撹拌動作が始まり（回転撹拌刃４３による撹拌動作はある過程を経てから動作を始めるものもある）、この時、送風モーター５０のモーター駆動音が伴うため、就寝直後に運転を開始した場合には眠りの妨げになってしまう等の問題があった。
【００１３】
また、この厨芥処理機は屋内と屋外で兼用で使用できるため、その利便性から屋内の台所などで使用されるケースが多い。そして、一般家庭で厨芥処理機を使用する場合には夕食後に一日分の生ごみを乾燥処理するための運転が行なわれる場合が多い。このため、運転開始から乾燥処理が終了するまでの間に時間がかかり、就寝中にもまだ運転されていることがあり、厨芥収納容器４１内の厨芥ごみを撹拌する運転音などの騒音が気になるといった問題点があった。
【００１４】
さらに、最近では深夜電力を利用して運転する家庭が多く、就寝前に運転スイッチを操作して運転が開始されると、就寝するまでの間に前記と同様に厨芥収納容器４１内の厨芥ごみを撹拌する運転音などの騒音が気になるという問題点があった。
【００１５】
【課題を解決するための手段】
本発明は上記の課題を解決するためになされたものであり、請求項１では、厨芥処理機の本体ケースと、該本体ケースの開口部を覆う本体蓋と、本体ケース又は本体蓋に設けられた操作部と、本体ケース内に着脱自在に設置された厨芥ごみ収納容器と、厨芥ごみ収納容器内の厨芥ごみを加熱する加熱手段と、厨芥ごみ収納容器内の厨芥ごみを撹拌する回転撹拌刃と、厨芥ごみ収納容器から発生する臭気を脱臭する触媒脱臭装置と、脱臭後の排気を本体ケースより外部に排出す排気口とを備えた厨芥処理機において、前記操作部の電源「入」スイッチを投入してから一定時間後に運転動作が開始されるＯＮタイマー設定スイッチを設け、前記電源「入」スイッチを投入後、所定時間Ａ内に前記ＯＮタイマー設定スイッチの投入がない場合は所定時間Ａ経過後に運転動作を開始するものである。
【００１６】
また、請求項２では、操作部に電源「入」スイッチに対応する電源表示ランプと、ＯＮタイマー設定スイッチに対応するＯＮタイマー設定表示ランプを設け、前記電源「入」スイッチを投入後、所定時間Ａの間ＯＮタイマー設定表示ランプが点滅し、ＯＮタイマー設定スイッチの投入時から一定時間Ｂの間ＯＮタイマー設定表示ランプが点灯し、一定時間Ｂ後にＯＮタイマー設定表示ランプは消灯し、また、前記所定時間Ａを経過してもＯＮタイマー設定スイッチの投入がない場合はＯＮタイマー設定表示ランプが消灯するものである。
【００１７】
これによって、就寝するまでの間にモーター等の騒音や厨芥ごみを撹拌する運転音などの騒音が気になることがなく、就寝の妨げを回避することができる。
【００１８】
また、使用者は操作部を見て容易にその設定状態を確認することができる。
【００１９】
【発明の実施の形態】
以下本発明の一実施例を図１から図７により説明する。
【００２０】
まず、図１から図５において、１は金属製又は樹脂からなる厨芥処理機の本体ケース、２はこの本体ケース１の上部に開閉自在に配設された本体蓋で、後部を蓋ヒンジ２ａにより枢支され、前部にフック２ｂを設けている。また、この本体蓋２は後部側、即ち、本体蓋２の蓋ヒンジ２ａ側が高く、前面に向けて下向きに傾斜しており、蓋ヒンジ２ａにバネやダンパー等の公知の機構を設けて急開閉しないように保持されている。
【００２１】
２２は本体蓋２の前面側に設けられた操作部で、これについては後で詳細に説明する。なお、この操作部２２は本体ケース１の前面側上部に設けることもできる。
【００２２】
３は本体ケース１内に取り付けられた外側固定容器で、アルミや表面に防錆処理を施した鋼板により成形されている。４は厨芥ごみ収納容器で、外側固定容器３の内部に取り出し自在に配設されている。また、この厨芥ごみ収納容器４は表面に厨芥ごみがこびり付きにくいように剥離処理を施した鋼板や耐熱性、難燃性、さらには加水分解性に優れた分子配合を有した樹脂を混合したもので成形されている。
【００２３】
５は厨芥ごみ収納容器４の側面および底面より内向きに形成した凸部である。この凸部５は、別部品により設けることも可能であるが、本実施例では、厨芥ごみ収納容器４に直接成形している。
【００２４】
６は回転撹拌刃で、厨芥ごみ収納容器４内の下部に設置されており、厨芥ごみ収納容器４内の厨芥ごみを撹拌するほかに、凸部５と連携して厨芥ごみを破砕するものである。
【００２５】
７は被駆動回転軸で、厨芥ごみ収納容器４の底部に設けられ、その先端が連結機構を介して回転撹拌刃６と連結しており、厨芥ごみ収納容器４の取り外しの際には容器４ごと取り外されるものである。
【００２６】
８は回転駆動軸で、外側固定容器３の底部に取り付けられており、被駆動回転軸７と着脱自在に連結して被駆動回転軸７に回転力を伝えるものである。９は電動モーターで、回転駆動軸８を回転させるための回転力を発生するものである。１０は減速機構で、電動モーター９の回転力を減速して回転駆動軸８に伝達するもので、ギヤやベルトにより構成されている。
【００２７】
１１は本体蓋２内の下面に固定された内蓋で、ステンレスや表面に防錆処理を施した鋼板又は耐熱性、難燃性、加水分解性に優れた樹脂製若しくは樹脂と金属の組み合わせにより構成されており、本体蓋２の傾斜形状に合わせて上面の周縁部に本体蓋２の後部側、即ち、本体蓋２の蓋ヒンジ２ａ側が高く、前面に向けて下向きに傾斜する周側壁１１ａを有している。
【００２８】
また、この内蓋１１は、該内蓋１１と本体蓋２とに夫々嵌合部を設けて取り外し自在な構造とすることもでき、さらに、本体蓋２と一体に成形することもできる。
【００２９】
また、この内蓋１１は、厨芥ごみ収納容器４の上部開口部を覆うように設けられており、厨芥ごみ収納容器４との接触部にゴムや軟質の樹脂によるパッキン１１ｉを設けることで、厨芥ごみ収納容器４とパッキン１１ｉを介して密閉構造としている。
【００３０】
また、内蓋１１は、周側壁１１ａの後部側に熱風吹出部１１ｂと、それより開口面積の大きい熱風吸気部１１ｃを周方向に沿って並べて開口するとともに、熱風吹出部１１ｂ直下の平面部に厨芥ごみ収納容器４内と連なる熱風吹出穴１１ｅを設け、両者をカバーガイド１１ｄで連結している。なお、熱風吹出穴１１ｅは穴部の周縁部につばを形成した鎧穴でもよい。
【００３１】
また、前記平面部の略中央部付近には複数の丸穴又は格子形状の小穴よりなる熱風吸込穴１１ｆが設けられ、その下面側は厨芥ごみ収納容器４内と連なり、上面側は熱風吸気部１１ｃに連なっている。
【００３２】
また、熱風吸込穴１１ｆと熱風吸気部１１ｃとの間にはその通風路を遮らない範囲で突壁１１ｇが設けられている。
【００３３】
さらに、内蓋１１の下面で熱風吹出穴１１ｅと熱風吸込穴１１ｆとの間には両穴を通る熱風が交じり合わないように仕切り壁１１ｈを設けている。
【００３４】
１２は耐熱樹脂よりなる略逆Ｌ状の熱風循環風路ケースで、外側固定容器３の外側で本体ケース１の中に納められており、その内部を仕切り壁１２ａによって左右二つの熱風風路１２ｂ、１２ｃに仕切っており、その上端略水平部に内蓋１１の熱風吹出部１１ｂと連なる熱風吹出口１２ｄ及び熱風吸気部１１ｃと連なる熱風吸気口１２ｅを設けている。
【００３５】
また、この熱風循環風路ケース１２は、耐熱性、加水分解性などに優れたＰＰＳや結晶性のＰＳや耐熱性ＰＰによって二つ以上のケース部品１２ｆ、１２ｇを組み合わせて形成されているものであり、各ケース部品１２ｆ、１２ｇの合わせ部１２ｈはＳＵＳ等の金属線を介して加熱溶着によるシール又はシール材さらにはパッキンにより循環風が後記触媒脱臭装置１７に導かれる以外に外部に漏れないようにシールされている。
【００３６】
また、熱風吹出口１２ｄ及び熱風吸気口１２ｅは熱風を整流するために複数の縦型ルーバーにより形成されており、かつ、熱風吹出口１２ｄの開口面積を熱風吸気口１２ｅの面積より小さくして両口を通る熱風の風速に差を持たせるようにしている。
【００３７】
また、この熱風吹出口１２ｄと熱風吸気口１２ｅは、図４に示すように、耐熱性、加水分解性などに優れたＰＰＳや結晶性のＰＳや耐熱性ＰＰによって一体に成形し、図３に示す熱風風路１２ｂ、１２ｃに取り外し自在に挿入して清掃性を向上させるようにしてもよい。
【００３８】
１３は熱風循環風路ケース１２内の下部に設けた連絡口で、円形のベルマウス状の穴により形成されており、仕切り壁１２ａによって仕切られた二つの熱風風路１２ｂ、１２ｃを連絡するとともに、後記送風手段１５の循環ファン１５ａを駆動するファンモーター１５ｂのシャフト１５ｃを貫通させている。
【００３９】
１４は電熱ヒーターよりなる加熱手段で、熱風風路１２ｂの中に配置され、その周囲を熱風風路１２ｂの内壁面に近接して配置された遮熱用の金属ケース１４ａによって囲まれている。尚、この加熱手段１４は電磁誘導加熱やマイクロ波加熱であってもよい。
【００４０】
１５は送風手段で、片面が開放状のターボファン又はラジアルファンよりなる循環ファン１５ａと、この循環ファン１５ａを駆動するファンモーター１５ｂと、そのシャフト１５ｃとで構成され、循環ファン１５ａの吸い込み側は連絡口１３を介して熱風風路１２ｃに対応し、吹き出し側は加熱手段１４の配置された熱風風路１２ｂ側に対応している。
【００４１】
１６は送風手段１５近傍の熱風風路１２ｂから分岐した熱風分岐口で、その出口に分岐パイプ１６ａが接続され、その途中に触媒脱臭装置１７が接続され、その終端は排気吸引ファン１８の吸入口１９に接続されている。
【００４２】
前記触媒脱臭装置１７の内部には、図示しないが複数の小穴よりなる酸化触媒と触媒加熱ヒーターが設けられ、図５に示すように循環ファン１５ａから吹き出された循環熱風の一部を熱風吹出口１２ｄの入り口付近から金属ケース１４ａとケース部品１２ｇとの隙間及び熱風分岐口１６、分岐パイプ１６ａを通して酸化触媒に流入させ、排気吸引ファン１８で吸引して本体ケース１の外部に排気するものである。
【００４３】
また、排気吸引ファン１８は循環ファン１５ａより直径が小さく、ターボファン又はラジアルファンによって構成され、送風手段１５のファンモーター１５ｂによって駆動されるようになっており、その収納ケース２０は図３に示すように熱風循環風路ケース１２のケース部品１２ｇの外側面にこれと一体に成形されている。
【００４４】
また、収納ケース２０の側壁の中心部にはファンモーター１５ｂのシャフト１５ｃを貫通させるとともに、収納ケース２０内の排気吸引ファン１８と分岐パイプ１６ａを連絡する円形のベルマウス状の吸入口１９が設けられている。
【００４５】
２１は送風手段１５と対向したケース部品１２ｆを切欠し、そこに取り外し自在に配置したサービス点検用の蓋体である。
【００４６】
２７は温度センサーＢで、送風手段１５の熱風吹出口１２ｄに臨ませてあり、該熱風吹出口１２ｄから内蓋１１を通して厨芥ごみ収納容器４内に流入する温風温度を検知する。２８は温度過昇防止器で、熱風吹出口１２ｄのある熱風循環ケース１２の外側面に設けられており、熱風吹出口１２ｄの異常温度上昇を防止する。２９は温度センサーＡで、送風手段１５の熱風吸気口１２ｅに臨ませてあり、厨芥ごみ収納容器４内の厨芥ごみを加熱した後の熱風温度を検知する。
【００４７】
次に、図６は操作部２２の詳細を示すものであり、２３は電源「入」スイッチ、２４は電源「入」スイッチ２３に対応してその隣に設けられたＬＥＤ等よりなる電源表示ランプ、３０は停止スイッチである。
【００４８】
また、２５はＯＮタイマー設定スイッチ、２６はＯＮタイマー設定スイッチ２５に対応してその隣に設けられたＬＥＤ等よりなるＯＮタイマー設定表示ランプである。このＯＮタイマー設定表示ランプ２６は後記するように、電源「入」スイッチ２３を投入後、所定時間点滅し、ＯＮタイマー設定スイッチ２５の投入時に点灯し、所定時間経過してもＯＮタイマー設定スイッチ２５の投入がない場合、消灯するものである。
【００４９】
また、図７は制御回路のブロック図を示しており、制御回路３１の入力側には電源「入」スイッチ２３、停止スイッチ３０及びＯＮタイマー設定スイッチ２５が接続され、出力側には送風手段１５、触媒脱臭装置１７及び加熱手段１４が接続されている。
【００５０】
次に、上記厨芥処理機の動作について説明する。
【００５１】
本体蓋２のフック２ｂを外すと、本体蓋２はヒンジ２ａを支点にバネの力で開く。このとき、内蓋１１も一緒に上方に持ち上げられ、厨芥ごみ収納容器４の上面開口部が外部に露出する。
【００５２】
そこで、厨芥ごみ収納容器４内に厨芥ごみを収納し、そののち、本体蓋２を閉める。本体蓋２は本体ケース１とフック２ｂにより固定される。
【００５３】
この状態で、電源「入」スイッチ２３を投入すると、図８（ｂ）に示すように電源表示ランプ２４が点灯するとともに、一定時間Ａ（５秒間）の間、ＯＮタイマー設定表示ランプ２６が点滅する。そして、この一定時間Ａ（５秒間）の間にＯＮタイマー設定スイッチ２５が投入されないと、タイマー運転を使用しない通常の運転と判断し、ＯＮタイマー設定表示ランプ２６は消灯し、電源表示ランプ２４が点灯を継続し、運転状態に入る。
【００５４】
すなわち、図８（ａ）に示すように電動モーター９が駆動して厨芥ごみ収納容器４内の回転撹拌刃６が図９（ａ）に示すように右左、右左と２回正逆回転し、厨芥ごみ収納容器４内の厨芥ごみが偏らないように平らにならし、その後、電動モーター９は停止し、回転撹拌刃６も回転を停止する。
【００５５】
また、前記電源「入」スイッチ２３の投入によって熱風循環風路ケース１２内の加熱手段１４及び触媒脱臭装置１７内の触媒加熱ヒーターが加熱されるとともに、送風手段１５のファンモーター１５ｂが駆動し、循環ファン１５ａ及び排気吸引ファン１８が回転する。循環ファン１５ａで発生した風は熱風風路１２ｂを矢印のように上昇して加熱手段１４の周囲を通る間に熱風となり、さらに上昇して熱風吹出口１２ｄから本体蓋２の内蓋１１の周側壁１１ａに開口した熱風吹出部１１ｂを通り、カバーガイド１１ｄに誘導されて内蓋１１の熱風吹出穴１１ｅから厨芥ごみ収納容器４内に流入する。
【００５６】
そして、熱風吸気口１２ｅを通る熱風の温度が約１００℃になると、それを温度センサーＡ２９が検知して再び電動モーター９を駆動させ、厨芥ごみ収納容器４内の回転撹拌刃６が図９（ｂ）に示すように左４回、右４回と正逆回転動作を繰り返し、厨芥ごみ収納容器４内の厨芥ごみを加熱乾燥しながら撹拌し、さらに、回転撹拌刃６と凸部５が連携して破砕し、減縮する。
【００５７】
その後、臭気を含んだ熱風は厨芥ごみ収納容器４内を上昇して内蓋１１の熱風吸込穴１１ｆから内蓋１１の上面に吸い込まれ、さらに、突壁１１ｇを乗り越えて熱風吸気部１１ｃに達し、熱風循環風路ケース１２の熱風吸気口１２ｅから矢印のように熱風風路１２ｃ内に流入し、連絡口１３から再び循環ファン１５ａによって熱風風路１２ｂに流出する。
【００５８】
以後、この熱風循環サイクルを繰り返し、厨芥ごみ収納容器４内の厨芥ごみを加熱、乾燥し、減縮する。このとき、加熱手段１４から熱風吹出口１２ｄを通して厨芥ごみ収納容器４内に吹き出される熱風は温度センサーＢ２７によって１４５℃程度に保たれるように制御される。尚、この熱風が１５０℃まで上昇した時は異常と判断し、温度過昇防止器２８が動作して運転を止める。
【００５９】
一方、送風手段１５の循環ファン１５ａにより吹き出された熱風の一部は熱風吹出口１２ｄの入り口付近から金属ケース１４ａとケース部品１２ｇとの隙間及び熱風分岐口１６、分岐パイプ１６ａを通して触媒脱臭装置１７に流入し、ここで脱臭されて排気吸引ファン１８により排気口１８ａを通して本体ケース１の外部に排出される。
【００６０】
この状態で厨芥ごみの加熱、乾燥、減縮が進行していくと、厨芥ごみ収納容器４内の厨芥ごみの含水率が下がり、熱風吸気口１２ｅを通る熱風の温度が約１２０℃に上昇する。これを温度センサーＡ２９が検知して乾燥、減縮が終了したと判断し、加熱手段１４への通電を止める。送風手段１５及び触媒加熱用ヒーターにはその後も一定時間通電され、順次触媒加熱用ヒーター、送風手段１５が停止して運転が終了し、電源表示ランプ２４も消灯する。
【００６１】
次にタイマー運転の動作について説明する。
【００６２】
まず、上記の動作で説明したように、厨芥ごみ収納容器４内に厨芥ごみを収納したのち、本体蓋２を閉め、この状態で、電源「入」スイッチ２３を投入すると、図８（ｂ）に示すように一定時間Ａ（５秒間）電源表示ランプ２４が点灯（○）するとともに、ＯＮタイマー設定表示ランプ２６が点滅（△）する。そして、この一定時間Ａの間にＯＮタイマー設定スイッチ２５が投入されると、その時からＯＮタイマー設定表示ランプ２６は点灯（○）に変わり、タイマー運転が開始されるまでの一定時間Ｂ（３時間）点灯を継続する。この時、電源表示ランプ２４は消灯（×）する。
【００６３】
ＯＮタイマー設定スイッチ２５は、投入すると一定時間Ｂの経過後に運転を開始する。この時、ＯＮタイマー設定表示ランプ２６は消灯（×）し、電源表示ランプ２４は点灯（○）する。
【００６４】
例えば、夕食後に一日分の生ごみを乾燥処理するための運転を行なう場合には、就寝前の午後１１．００にＯＮタイマー設定スイッチ２５を操作して３時間後に加熱乾燥が開始するようにセットすると、翌日の午前２．００に前記した運転動作が開始する。この時には、すでに熟睡しており、送風手段１５のモーターや電動モーター９及び回転撹拌羽６の騒音があっても眠りの妨げになることがない。
【００６５】
このように、厨芥ごみを厨芥ごみ収納容器４内に収納後、ＯＮタイマー設定スイッチ２５を投入することで、予め設定された乾燥開始時間又は任意に設定できるものにおいては、お好みの設定時間経過後に運転を開始し、眠りの妨げを防止するものである。
【００６６】
そして、その通常運転及びタイマー運転の状態は、操作部２２の電源表示ランプ２４とＯＮタイマー設定表示ランプ２６により容易に確認できるものである。
【００６７】
なお、上記実施例においては、電源「入」スイッチ２３を投入した後、一定時間Ａ（５秒間）電源表示ランプ２４が点灯するとともに、ＯＮタイマー設定表示ランプ２６が点滅するようにしており、また、この一定時間Ａの間にＯＮタイマー設定スイッチ２５が投入されると、その時からＯＮタイマー設定表示ランプ２６は点灯に変わり、タイマー運転が開始されるまでの一定時間Ｂ（３時間）点灯を継続するようにしているが、一定時間Ａの５秒間及び一定時間Ｂの３時間はこれに限定されるものではない。特に、ＯＮタイマー設定スイッチ２５は、一定の時間経過後に運転を開始するタイマー固定式と、運転開始希望時間を任意に設定できる方式があり、タイマー運転が開始されるまでの一定時間Ｂはこれらのいずれも含むものである。
【００６８】
この種の厨芥処理機において、運転停止の制御にタイマー機構を設けたものは、上記従来の技術において、特許文献２として提示した特開平７−２６０３５６号公報及び特許文献３として提示した特開平７−２９４１３６号公報等が公知である。
【００６９】
しかし、これらの従来技術においては、タイマー機構によって厨芥ごみを加熱乾燥する加熱ヒーターの通電時間を制御して運転を停止させるものであって、前記した本発明のように、就寝直後の眠りの妨げを防止するためにＯＮタイマー設定スイッチ２５を用いて電源「入」スイッチ２３を投入してから一定時間後に運転動作を開始させるようにしたものではない。
【００７０】
【発明の効果】
以上説明したように、本発明は、請求項１及び２に記載した構成によって、厨芥ごみ収納容器に厨芥ごみを投入し、操作部のＯＮタイマー設定スイッチを操作することによって、予め設定された乾燥開始時間到達後に運転を開始するか、又は任意に設定できるものにおいては、お好みの設定時間経過後に運転を開始し、運転時の気になるモーター等の騒音による就寝の妨げを回避できる等の効果がある。
【００７１】
また、通常運転及びタイマー運転の状態を操作部の電源表示ランプとＯＮタイマー設定表示ランプにより表示するようにしたので、使用者は操作部を見て容易にその設定状態を確認できるものである。
【図面の簡単な説明】
【図１】本発明の縦断面図である。
【図２】本発明の要部構造概略斜視図である。
【図３】本発明の他の要部構造概略斜視図である。
【図４】本発明の部品の斜視説明図である。
【図５】本発明の他の部品の内部説明図である。
【図６】本発明の操作部の説明図である。
【図７】本発明のブロック制御回路図である。
【図８】本発明の運転状態を示す説明図である。
【図９】本発明の他の運転状態を示す説明図である。
【図１０】従来例の縦断面図である。
【符号の説明】
１    本体ケース
２    本体蓋
４    厨芥ごみ収納容器
１１    内蓋
１４    加熱手段
１５    送風手段
１７    触媒脱臭装置
２２    操作部
２３    電源「入」スイッチ
２４    電源表示ランプ
２５    ＯＮタイマー設定スイッチ
２６    ＯＮタイマー設定表示ランプ
３１    制御回路
【図１】
2004243230.tif 000003
【図２】
2004243230.tif 000004
【図３】
2004243230.tif 000005
【図４】
2004243230.tif 000006
【図５】
2004243230.tif 000007
【図６】
2004243230.tif 000008
【図７】
2004243230.tif 000009
【図８】
2004243230.tif 000010
【図９】
2004243230.tif 000011
【図１０】
2004243230.tif 000012